(57)【要約】【課題】顔の写し映えを向上し、化粧品による美容効果などの確認性を向上する。【解決手段】略円筒若しくは略楕円筒形状の本体ケース２６を有する鏡ケースと、本体ケース２６内部の略中心位置に内蔵された光源３０と、本体ケース２６の前面側に配置された略円形若しくは略楕円形の鏡本体２８と、鏡本体２８の周縁部に同心環状に配置された光散乱性の光透過体２７と、鏡本体２８内部の後面側に配置された光反射体２９ａとを具備し、光源からの光が鏡本体の裏面及び光反射体に反射されて、散乱光となって光透過体から顔全体を隈なく照明する。【選択図】      図４
2007330685.tif 000002
【特許請求の範囲】
【請求項１】
略円筒若しくは略楕円筒形状の本体ケースを有する鏡ケースと、本体ケース内部の略中心位置に内蔵された光源と、本体ケースの前面側に配置された略円形若しくは略楕円形の鏡本体と、鏡本体の周縁部に同心環状に配置された光散乱性の光透過体と、鏡本体内部の後面側に配置された光反射体とを具備することを特徴とする照明付き鏡装置。
【請求項２】
前記光透過体は、前記本体ケースの前面開口を閉鎖するごとく配置された略円形若しくは略楕円形のプラスチック板体により形成されると共に、その中心前面に前記鏡本体が嵌合固定される凹部が形成されており、鏡本体が嵌合固定された凹部の周縁部から前方に光が透過することを特徴とする請求項１記載の照明付き鏡装置。
【請求項３】
前記光透過体は、乳白色半透明のアクリル樹脂成形体からなることを特徴とする請求項１又は２記載の照明付き鏡装置。
【請求項４】
前記鏡ケースは、その本体ケースの背部に、前記光源の外部電源に対する接続基部を収装するとともに、両側をブラケットにより、高さ及び上下角度調整可能に連結した接続ケースを備えていることを特徴とする請求項１乃至３のいずれか１項記載の照明付き鏡装置。
【請求項５】
前面開口した陳列ケース本体と、陳列ケース本体内に多段に配置された商品陳列棚と、前記商品陳列棚のうち、消費者の目線位置に対向する商品陳列棚の中央に配置される鏡とを備えた商品陳列ケースにおいて、
前記鏡は、請求項１乃至４のいずれか１項記載の照明付き鏡装置により構成されていることを特徴とする商品陳列ケース。
【請求項６】
前記照明付き鏡装置は、ブラケットを介して前記商品陳列棚に設置される台座に高さ及び上下角度調整可能に連結されていることを特徴とする請求項５記載の商品陳列ケース。
【請求項７】
前記ブラケットの底面には、前記陳列ケース本体の背面板に設けた吊下げ用のスリットに引掛け係止されるフック部が設けられていることを特徴とする請求項６記載の商品陳列ケース。
【発明の詳細な説明】
【技術分野】
【０００１】
本発明は、照明付き鏡装置、及び該照明付き鏡装置を用いた商品陳列ケース特に化粧品陳列ケースに関する。
【背景技術】
【０００２】
この種化粧品陳列ケースは、単に商品を展示するだけでなく、消費者が求めたい商品を実際に取出して試用できるようにするために、前面があいているとともに、消費者の顔を映し出す鏡を備え、消費者は手に取った当該商品を顔につけて鏡をのぞき込むことにより、当該商品による美容効果などを確認できるようにすることが望ましい。
【０００３】
その一方で、化粧品陳列ケースの上部には商品を照らす照明が備わっており、このような照明下で商品を試用した顔を鏡に映したのでは、その照明により、消費者の顔に無用な陰または影が生じて顔が隈取され、当該商品による美容効果が十分に確認できないものとなっており、特にメーク用品では色彩を写すものであるだけに、その傾向が著しいものとなっていた。
【０００４】
ところで、鏡本体の背部に光源を有し、鏡本体の両側に形成されるスリット状の投光部から使用者の顔に照明を当てる照明付き鏡装置としてのミラーキャビネットが、下記特許文献１に示されている。
【特許文献１】特開平７−８３４２号公報
【発明の開示】
【発明が解決しようとする課題】
【０００５】
ところが、上記特許文献１に示されるミラーキャビネットでは、主として消費者の顔の周縁部に照明が当たり、肝心の顔の中央部に無用な陰または影が生じて、化粧効果が確認し難いという問題がある。
【０００６】
そこで、本発明は以上の課題を解決するものであって、鏡に対面する人に対する無用な陰、または影を相殺できるようにすることにより、顔の写し映えを向上し、化粧品による美容効果などの確認性を向上できるようにした照明付き鏡装置、及び該照明付き鏡装置を用いた商品陳列ケース特に化粧品陳列ケースを提供するこのを目的とするものである。
【課題を解決するための手段】
【０００７】
前記目的を達成するため、本発明の照明付き鏡装置２１は、略円筒若しくは略楕円筒形状の本体ケース２６を有する鏡ケースと、本体ケース２６内部の略中心位置に内蔵された光源３０と、本体ケース２６の前面側に配置された略円形若しくは略楕円形の鏡本体２８と、鏡本体２８の周縁部に同心環状に配置された光散乱性の光透過体２７と、鏡本体２８内部の後面側に配置された光反射体２９ａとを具備することを特徴としている。
【０００８】
前記光透過体２７は、前記本体ケース２６の前面開口を閉鎖するごとく配置された略円形若しくは略楕円形のプラスチック板体により形成されると共に、その中心前面に前記鏡本体２８が嵌合固定される凹部２７ａが形成されており、鏡本体２８が嵌合固定された凹部２７ａの周縁部から前方に光が透過することを特徴とする。
【０００９】
前記光透過体２７は、乳白色半透明のアクリル樹脂成形体からなることが望ましい。
【００１０】
前記鏡ケースは、その本体ケース２６の背部に、前記光源３０の外部電源に対する接続基部２４を収装するとともに、両側をブラケット３１により、高さ及び上下角度調整可能に連結した接続ケース２５を備えていることを特徴とする。
【００１１】
また、本発明に係る商品陳列ケース１では、前面開口した陳列ケース本体２と、陳列ケース本体２内に多段に配置された商品陳列棚３と、前記商品陳列棚３のうち、消費者の目線位置に対向する商品陳列棚の中央に、上記の照明付き鏡装置２１が配置されていることを特徴としている。
【００１２】
前記照明付き鏡装置２１は、ブラケット３１を介して前記商品陳列棚３に設置される台座３５に高さ及び上下角度調整可能に連結されている。
【００１３】
前記ブラケット３１の底面には、前記陳列ケース本体２の背面板に設けた吊下げ用のスリットＳに引掛け係止されるフック部３４が設けられている。
【発明の効果】
【００１４】
本発明に係る照明付き鏡装置によれば、鏡本体の全周囲から、光透過体を通じて光が散乱状態で出光し、これによって顔全体が照し出されることにより、外光による顔の陰や、影を相殺するため顔に無用な隈取が生ずることを防止し、写し映えを向上でき、化粧品の色彩をそのままの状態で再現できる。鏡本体及びその周縁部の光透過体は、略同心円形若しくは楕円形であって、光源からの照明は、鏡本体の背面及び光反射体からの反射光による間接照明による散乱光であることから、顔全体を隈なく映し出すことができる。
【００１５】
請求項２の発明によれば、鏡本体及び光透過体の設置が能率的で正確となり、相互の位置ずれが生じない。
【００１６】
本発明に係る商品陳列ケースによれば、化粧品陳列ケースとして、化粧効果を有効に確認でき、照明装置付き鏡装置の位置や鏡の角度などの調整ができ、さらに設置箇所の自由度が高いものとなる。
【発明を実施するための最良の形態】
【００１７】
以下、本発明を化粧品陳列ケースに適用した場合の最良の形態につき、添付図面を参照して説明する。
【００１８】
図１は、本発明に係る化粧品陳列ケースの全体的構成を示す正面図、図２は図１のＡ−Ａ線における側断面図である。
【００１９】
図において、化粧品陳列ケースとしての商品陳列ケース１は、前面開口した縦長矩形状の陳列ケース本体２と、陳列ケース本体２の内側に多段に配置された陳列棚３とを備えている。
【００２０】
前記陳列ケース本体２は、化粧品の展示販売用として、装飾性の高いものであり、不陸調整用の４つのアジャスター４を下面に設けた前面開口のボックス部５の上面を底板面としてこれの上部に組付けられたものであり、背面板６，透明アクリルのスモーク加工板からなる両側側板７，天板８、及びこれら各板６〜８を組付けるための一対の前部側支柱９，及び後部支柱１０と、背面板６の裏面に固定された複数の横桟１１とから概略構成されている。
【００２１】
前記ボックス部５には予備の商品を一時格納するストックボックス１２が引出し可能に収装されている。ストックボックス１２の前面パネル１２ａの表面は特に図１に示すように、表装や彫刻などの縁取り加工により装飾を施したもので、その左右には表面金色メッキを施したリング式の一対の把手１４が配置され、かつ把手１４間において前面パネル１２ａには、シルクスクリーン印刷などにより、商品ロゴを表示できるようにしている。
【００２２】
前記各支柱９，１０はボックス部５の上面四隅に、ほぞ及びほぞ穴などの加工により差込むことで立設されたものであり、このうちも前部側支柱９は装飾支柱を構成するものであって、芯柱（図略）の外周にエンタシス調の装飾柱を縦方向に差込み式につなぎ合せて一本の柱とし、その最下端を前記ボックス部５に差込み固定され、最上端を同じく差込み式に前記天板８に嵌合される。そして前記側板７は前後の支柱９，１０間に固定され、背面板６は後部支柱１０間に固定される。
【００２３】
前記天板８は、同じく表面に装飾を施し、底面開口したボックス状のもので、各支柱９，１０間に側板７及び背面板６を配置した状態で、天板８をかぶせることで、各部が一体的に組立てられる。なお、前記天板８の前面下部にはＰＯＰ貼付け用のホルダーパネル１５が左右一対のフック１６を介して吊下げられている。このホルダーパネル１５は透明アクリル板からなっており、これの表面にＰＯＰを印刷した透明フィルムないしシートをその上下に形成された差込溝（図略）に差込むことで、パネル面に固定される。
【００２４】
前記ホルダーパネル１５の背面部にあって、天板８の前部にはその幅方向に沿って蛍光灯１７が配置されている。この蛍光灯１７は、本体２内の各陳列棚３上に配置される商品を照射するとともに、前記ＰＯＰを照射するものであり、このために本体２の背面下部側には、コンセントボックス１８が配置され、接続ケーブル１９を介して売場などに設けた外部のＡＣ電源に接続されるようにしている。
【００２５】
また、背面板６の前面下部には、図１に示すように、このコンセントボックス１８に接続されたスイッチ及びコンセント兼用パネル２０が配置され、これに設けたスイッチ２０ａを介して前記蛍光灯よりなる照明灯１７の配線に接続している。コンセント２０ｂは後述する照明付き鏡装置２１の接続用として活用される。
【００２６】
前記各陳列棚３は、特に図２に示すように前記背面板６の前面に縦方向に懸垂支持された縦長ラック２２に多段に形成された後述のスリットにその背面を引掛け係止することで水平を保って多段配置されるものであり、その上部左右に一体化された化粧品などの商品陳列台２３内に商品を収容した状態で展示販売できるようにしている。
【００２７】
前記各陳列棚３のうち消費者の目線位置に対向する陳列棚３の中央上部には、前述の照明付き鏡装置２１が配置されている。この照明付き鏡装置２１の詳細を図３〜図６を用いて説明する。
【００２８】
各図において、照明付き鏡装置２１は、矩形箱状に形成され、かつ内部にソケットとしての接続基部２４を内蔵した接続ケース２５と、接続ケース２５の前部側に一体化された大径の円筒状本体ケース２６と、本体ケース２６の前部開口縁に嵌合固定された光散乱性の光透過体２７と、光透過体２７の内側に同心状に形成された窪み凹部２７ａに嵌合され、同一面に配置される鏡本体２８と、本体ケース２６の後面に複数のビスを介して固定されるとともに、前記接続ケース２５の前面をビスを介して接続した背面板２９と、前記接続基部２４にねじ込みにより接続され、かつ前記仕切板２９の中心孔２９ａを貫通して本体ケース２６内に突出する電球形蛍光灯により構成される光源３０とを備えている。光源３０は、Ｕ形蛍光灯を３本同心対称形状に配設し、カップ形外球で覆わしめたものである。
【００２９】
そして、前記背面板２９の本体ケース２６内側の面はリフレクタとされ光反射体２９ｂとなっており、光源３０から出光した光を反射してその光を前面側に向けるようになっている。
【００３０】
前記光透過体２７は、乳白色半透明のアクリル樹脂成形体からなるものであり、光源３０からの光を適宜散乱させつつ外部へ出光するものである。
【００３１】
さらに、前記接続ケース２５の両側部は、断面略コ字形乃至略Ｕ形をした二股状ブラケット３１間に高さ及び回動角度調整可能に連結している。ブラケット３１の両側には長手方向に沿って長孔３１ａが形成され、この長孔３１ａに調整ネジ３２を挿通し、接続ケース２５の内側に設けた溶接ナット３３（図５参照）にねじ込むことで、照明付き鏡装置２１をブラケット３１に対し高さ及び角度調整可能に支持するものである。
【００３２】
前記ブラケット３１のコ字形の底面には、後部が鉤状となったフック部３４が溶接により一体化されているとともに、このフック部３４を貫通して台座３６にビスを介して連結されており、この台座３６を陳列棚３上に設置するようになっている。
【００３３】
なお、図中符号２４ａは前記ソケットから外部側に引出された接続コードであり、この接続コード２４ａは、前述する陳列棚本体に設けたコンセント２０ｂに接続される。
【００３４】
次に以上の照明付き鏡装置２１の作用・効果を図７を用いて説明する。まず、（ａ）に示すように、光源３０が消灯した状態で消費者が鏡本体２８をのぞき込んだ場合には、陳列ケース本体２内の上部側からの蛍光灯１７の照明により、顔に照明の陰や、影が映り、顔がこれらにより隈取され、商品の試用による美容効果を十分に確認できないばかりか、顔の小皺や、シミなどが強調されるため、さえない映りとなる。
【００３５】
これに対し、（ｂ）に示すように、光源３０を点灯した状態で鏡本体をのぞき込んだ場合には、鏡本体２８の周囲から光が散乱状態に出光することで、顔全体をその光により照らし、これにより前記陰や影は相殺され、選択した商品である化粧品の色調などを十分に確認することができるほか、顔全体を照らすことにより微細な小皺やシミなども消去されるため、写し映えが向上することになるのである。
【００３６】
次に、以上の照明付き鏡装置２１の他の取付形態を図８，９を用いて説明する。この取付形態では台座３５を取外し、フック部３４により取付を行うもので、背面板６に懸垂された縦長ラック２２に形成された前述のスリットＳにフック部３４の後端を引掛け係止することで陳列ケース本体２に設置した以外は前記と同様である。このように鏡の設置は、台座３５を介して陳列棚３上に設置するか、引掛け係止するかのいずれかを選択できる。その他の設置状態も可能である。
【００３７】
上記の鏡装置２１は、上記商品陳列ケースとは分離させて単体として使用することも可能である。また、その使用は上記業務用以外に、自宅で私用に用いることも出来る。
【図面の簡単な説明】
【００３８】
【図１】本発明に係る商品陳列ケースの全体的構成を示す正面図である。
【図２】図１のＡ−Ａ線における側断面図である。
【図３】本発明に係る鏡装置の平面図、正面図及び側面図である。
【図４】図３のＢ−Ｂ線における側断面図である。
【図５】同鏡装置の分解斜視図である。
【図６】同組立状態の斜視図である。
【図７】（ａ），（ｂ）は同鏡装置における照明具の消灯状態と点灯状態における顔の映し映えを示す模式的正面図である。
【図８】同鏡装置の取付形態を変更した側面図である。
【図９】同斜視図である。
【符号の説明】
【００３９】
１  商品陳列ケース
２  陳列ケース本体
３  陳列棚
２１  照明付き鏡装置
２４  接続基部
２５  接続ケース
２６  本体ケース
２７  光透過体、２７ａ  凹部
２８  鏡本体
２９  背面板、２９ａ  光反射体
３０  光源
３１  ブラケット
３４  フック部
３５  台座
Ｓ  スリット
【図１】
2007330685.tif 000003
【図２】
2007330685.tif 000004
【図３】
2007330685.tif 000005
【図４】
2007330685.tif 000006
【図５】
2007330685.tif 000007
【図６】
2007330685.tif 000008
【図７】
2007330685.tif 000009
【図８】
2007330685.tif 000010
【図９】
2007330685.tif 000011